(57)【要約】【課題】普通紙記録において、カールと裏抜けを防止し、なおかつそのプリント物と電子写真プリント物を重ねて保存しても電子写真プリントの貼りつきを生じないインクジェット用インクを提供する。【解決手段】少なくとも水および沸点１５０℃〜３００℃の有機溶剤をインクジェット用インク中に５０質量％以上８０質量％以下含有するインクジェット用インクにおいて、該有機溶剤として少なくとも下記一般式（１）および一般式（２）で表されるアルカンジオールから選ばれる少なくとも１種をインクジェット用インク中に５０質量％以上８０質量％以下含有することを特徴とするインクジェット用インク。    一般式（１）    Ｒ1−ＣＨ（ＯＨ）−ＣＨ（ＯＨ）−ＣＨ2−Ｒ2    一般式（２）    Ｒ1−ＣＨ（ＯＨ）−ＣＨ2−ＣＨ（ＯＨ）−Ｒ2（式中、Ｒ1は水素原子又はメチル基を表し、Ｒ2は水素原子、メチル基又はエチル基を表す。）【選択図】なし【特許請求の範囲】
【請求項１】
少なくとも水および沸点１５０℃〜３００℃の有機溶剤をインクジェット用インク中に５０質量％以上８０質量％以下含有するインクジェット用インクにおいて、該有機溶剤として少なくとも下記一般式（１）および一般式（２）で表されるアルカンジオールから選ばれる少なくとも１種をインクジェット用インク中に５０質量％以上８０質量％以下含有することを特徴とするインクジェット用インク。
一般式（１）    Ｒ1−ＣＨ（ＯＨ）−ＣＨ（ＯＨ）−ＣＨ2−Ｒ2
一般式（２）    Ｒ1−ＣＨ（ＯＨ）−ＣＨ2−ＣＨ（ＯＨ）−Ｒ2
（式中、Ｒ1は水素原子又はメチル基を表し、Ｒ2は水素原子、メチル基又はエチル基を表す。）
【請求項２】
前記一般式（１）又は一般式（２）で表されるアルカンジオールが、１，２−ブタンジオール、１，２−ペンタンジオール、１，２−ヘキサンジオールから選ばれる少なくとも１種であることを特徴とする請求項１記載のインクジェット用インク。
【発明の詳細な説明】
【技術分野】
【０００１】
本発明は、インクジェット用インクに関し、さらに詳しくは、新規なインクジェット用インクに関する。
【背景技術】
【０００２】
近年、インクジェット記録方式は簡便・安価に画像を作製できるため、写真、各種印刷、マーキング、カラーフィルター等の特殊印刷等、さまざまな印刷分野に応用されてきている。特に、微細なドットを出射、制御するインクジェット記録装置や、色再現域、耐久性、出射適性等を改善したインク及びインクの吸収性、色材の発色性、表面光沢等を飛躍的に向上させた専用紙を用い、銀塩写真に匹敵する画質を得ることも可能となっている。
【０００３】
しかし、専用紙を必要とするインクジェット画像記録システムでは用いることのできる記録媒体が制限されること、記録媒体のコストアップ等が問題となる。
【０００４】
一方、オフィスにおいては、普通紙に高速でフルカラー印字が行えるシステムのニーズがますます高まりつつある。インクジェットインクの組成についても、高速で印字でき、普通紙での文字再現性が良く、印字の際の裏抜け（印字したインクが記録媒体を通過し、裏面にその画像が映る現象）、カールの発生がなく、また紙への浸透が速く乾燥が速い等の観点で種々の検討が行われて（例えば、特許文献１、２参照）きた。
【０００５】
これらの課題に対し本発明者は、通常の水系インクジェットインクの溶剤が少量の高沸点有機溶剤と多量の水で構成されるのに対し、溶剤として少量の水と多量の特定の高沸点の有機溶剤で構成されるインクジェットインクを用いることによりカールと裏抜けの両方を同時に防止することが可能であるインク（例えば、特許文献３〜６参照）を見出した。特に高沸点の有機溶剤としては水酸基が一つのモノオールが好ましい。しかしながらこれらの発明に係るインクで印字したプリント物を電子写真のプリント物と重ねて保存すると電子写真プリント同士の貼りつきを生じる場合があることが判った。その理由としてこれらの発明のインクが通常の水系インクに比べ高沸点の有機溶剤を多く含むため、紙中に残存しやすくこれらが電子写真トナーを溶解するためであることが判った。
【特許文献１】特開２００４−２１７９３０号公報
【特許文献２】特開２００５−１９３６６０号公報
【特許文献３】特開２００４−２９０１４号公報
【特許文献４】特開２００４−３１７３８号公報
【特許文献５】特開２００４−３１７３９号公報
【特許文献６】特開２００４−３１７４０号公報
【発明の開示】
【発明が解決しようとする課題】
【０００６】
本発明の目的は、普通紙記録において、カールと裏抜けを防止し、なおかつそのプリント物と電子写真プリント物を重ねて保存しても電子写真プリントの貼りつきを生じないインクジェット用インクを提供することにある。
【課題を解決するための手段】
【０００７】
本発明の上記目的は、以下の構成により達成することができる。
【０００８】
１．少なくとも水および沸点１５０℃〜３００℃の有機溶剤をインクジェット用インク中に５０質量％以上８０質量％以下含有するインクジェット用インクにおいて、該有機溶剤として少なくとも下記一般式（１）および一般式（２）で表されるアルカンジオールから選ばれる少なくとも１種をインクジェット用インク中に５０質量％以上８０質量％以下含有することを特徴とするインクジェット用インク。
【０００９】
一般式（１）    Ｒ1−ＣＨ（ＯＨ）−ＣＨ（ＯＨ）−ＣＨ2−Ｒ2
一般式（２）    Ｒ1−ＣＨ（ＯＨ）−ＣＨ2−ＣＨ（ＯＨ）−Ｒ2
（式中、Ｒ1は水素原子又はメチル基を表し、Ｒ2は水素原子、メチル基又はエチル基を表す。）
２．前記一般式（１）又は一般式（２）で表されるアルカンジオールが、１，２−ブタンジオール、１，２−ペンタンジオール、１，２−ヘキサンジオールから選ばれる少なくとも１種であることを特徴とする前記１記載のインクジェット用インク。
【発明の効果】
【００１０】
本発明により、普通紙記録において、カールと裏抜けを防止し、なおかつそのプリント物と電子写真プリント物を重ねて保存しても電子写真プリントの貼りつきを生じないインクジェット用インクを提供することができた。
【発明を実施するための最良の形態】
【００１１】
本発明を更に詳しく説明する。電子写真トナーには粉砕トナーと重合トナーがあるが、その材料としては一般にスチレン／アクリル樹脂やポリエステル樹脂が用いられている。本発明者は新たに高沸点の有機溶剤のトナー溶解性についての検討を行った結果、高沸点の有機溶剤としてモノオールに比べジオールではトナー溶解性を著しく低下できることを見出した。これはトナーの極性と溶剤の極性がモノオールの方がジオールよりも近いためであると思われる。しかしながら一般にジオールはモノオールに比べ普通紙のプリント物のカールが良好でない結果が得られる。これは紙のセルロースの水酸基による水素結合が解離し、膨潤後に別の位置で水素結合を起こすために起こるカールという現象を、モノオールの場合、解離したセルロースの水酸基をブロックしやすいためカールが低減できるのに対し、ジオールではそのような機構が働かないためであると思われる。ところがジオールの中でも上記一般式（１）又は（２）で表されるアルカンジオールを用いることでトナー溶解性が低いのはもちろんのこと、普通紙のプリント物のカールが少ないことを見出した。
【００１２】
その理由はこれらのアルカンジオールでは二つの水酸基が分子の中で近接しているため、例えば両末端に水酸基のあるアルカンジオールに比べ分子内の極性の適度な偏りが膨潤により解離したセルロースの水酸基をブロックしやすいためだと考えている。
【００１３】
《溶剤》
本発明は、インクジェット用インク（以後、単にインクともいう）中に少なくとも水および沸点１５０℃以上の有機溶剤を含み、該有機溶剤をインク中の５０質量％以上８０質量％以下含有するインクジェット用インクにおいて、有機溶剤として少なくとも上記一般式（１）または（２）で表されるアルカンジオールをインク中の５０質量％以上８０質量％以下含有することを特徴としている。
【００１４】
本発明者は既に、インク中の沸点１５０℃以上の有機溶剤の含有量によって普通紙のプリントカールが少なくかつインクの裏抜けを少なくすることが両立可能なことを見出している。プリントカールは沸点１５０℃以上の有機溶剤の比率が高いほど良好であり、逆に裏抜けは沸点１５０℃以上の有機溶剤の比率が低いほど良好となる。そして沸点１５０℃以上の有機溶剤をインク中の５０質量％以上８０質量％以下含有することで普通紙のプリントカールが少なくかつインクの裏抜けを少なくすることが出来ることを見出した。さらに本発明者は検討に結果、沸点１５０℃以上の有機溶剤として、上記一般式（１）または（２）で表されるアルカンジオールを選択することによりトナー溶解性をも低く抑えることが出来ることが分かった。
【００１５】
これらの一般式で表されるアルカンジオールは具体的には、１，２−プロパンジオール、１，２−ブタンジオール、１，２−ペンタンジオール、２，３−ブタンジオール、２，３−ペンタンジオール、２，３−ヘキサンジオール、１，３−ブタンジオール、１，４−ペンタンジオール、２，４−ペンタンジオール、１，２−ヘキサンジオールである。
【００１６】
これらのアルカンジオールをインク中の５０質量％以上８０質量％以下含有することにより、普通紙のプリントカール、裏抜けを少なく、かつトナー溶解性が低いインクとすることが可能となる。さらに上記一般式（１）、（２）のアルカンジオールの中でも１，２−ブタンジオール、１，２−ペンタンジオール、１，２−ヘキサンジオールの中から選択されたものは水分が蒸発したときの粘度上昇が低くインク出射時のデキャップ特性がより良好となるため望ましい。
【００１７】
本発明の上記一般式（１）または（２）で表されるアルカンジオール以外に以下の溶剤を併用してもよい。例えば、アルコール類（例えば、メタノール、エタノール、プロパノール、イソプロパノール、ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド）等が挙げられる。
【００１８】
《色材》
本発明のインクジェット用インクは色材を含有することが好ましい。本発明のインクに用いられる色材の色相としては、例えば、イエロー、マゼンタ、シアン、ブラック、ブルー、グリーン、レッドのインクを形成する色材が好ましく用いられ、特に好ましくはイエロー、マゼンタ、シアン、ブラックの各色材である。
【００１９】
本発明のインクは、色材が染料である染料インク、あるいは色材がインクジェット用インクを構成する溶媒に不溶で、微細な顔料粒子を含む分散系を形成する顔料インク、あるいは色材が着色した高分子ポリマーの分散体からなる分散インク等の種々のインクジェット用インクを挙げることができる。
【００２０】
本発明で用いることのできる染料としては、アゾ染料、メチン染料、アゾメチン染料、キサンテン染料、キノン染料、フタロシアニン染料、トリフェニルメタン染料、ジフェニルメタン染料等を挙げることができ、その具体的化合物としては、例えば、特開２００２−２６４４９０号公報に例示した染料を挙げることができる。
【００２１】
また、ポリマー等と共に着色微粒子を形成し着色材となる油溶性染料については、通常カルボン酸やスルホン酸等の水溶性基を有さない有機溶剤に可溶で水に不溶な染料、例えば分散染料等が選ばれる。また、水溶性染料を長鎖の塩基と造塩することにより油溶性を示す染料も含まれ、例えば、酸性染料、直接染料、反応性染料と長鎖アミンとの造塩染料が知られている。
【００２２】
しかしながら、本発明のインクにおいては、色材としては顔料を用いることが好ましく、本発明に係る溶媒組成物に溶解度を有しない顔料が、本発明の目的効果をいかんなく発揮させる観点から好ましい。
【００２３】
本発明において使用できる顔料としては、従来公知のものを特に制限なく使用でき、水分散性顔料、溶剤分散性顔料等何れも使用可能であり、例えば、不溶性顔料、レーキ顔料等の有機顔料及び、カーボンブラック等の無機顔料を好ましく用いることができる。この顔料は水性インクの中で分散された状態で存在させ、この分散の方式としては、自己分散、活性剤分散、ポリマー分散、マイクロカプセル分散の何れでも良いが、ポリマー分散、マイクロカプセル分散が定着性の点から好ましい。
【００２４】
不溶性顔料としては、特に限定するものではないが、例えば、アゾ、アゾメチン、メチン、ジフェニルメタン、トリフェニルメタン、キナクリドン、アントラキノン、ペリレン、インジゴ、キノフタロン、イソインドリノン、イソインドリン、アジン、オキサジン、チアジン、ジオキサジン、チアゾール、フタロシアニン、ジケトピロロピロール等が好ましい。
【００２５】
好ましく用いることのできる具体的顔料としては、以下の顔料が挙げられる。
【００２６】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００２７】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー１２８、Ｃ．Ｉ．ピグメントイエロー９４、Ｃ．Ｉ．ピグメントイエロー１３８等が挙げられる。
【００２８】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００２９】
以上の顔料の他に、レッド、グリーン、ブルー、中間色が必要とされる場合には、以下の顔料を単独あるいは併用して用いることが好ましく、例えば、Ｃ．Ｉ．Ｐｉｇｍｅｎｔ  Ｒｅｄ；２０９、２２４、１７７、１９４、Ｃ．Ｉ．Ｐｉｇｍｅｎｔ  Ｏｒａｎｇｅ；４３、  Ｃ．Ｉ．Ｖａｔ  Ｖｉｏｌｅｔ；３、  Ｃ．Ｉ．Ｐｉｇｍｅｎｔ  Ｖｉｏｌｅｔ；１９、２３、３７、  Ｃ．Ｉ．Ｐｉｇｍｅｎｔ  Ｇｒｅｅｎ；３６、７、  Ｃ．Ｉ．Ｐｉｇｍｅｎｔ  Ｂｌｕｅ；１５：６等が用いられる。
【００３０】
また、ブラック用の顔料としては、例えば、Ｃ．Ｉ．ピグメントブラック１、Ｃ．Ｉ．ピグメントブラック６、Ｃ．Ｉ．ピグメントブラック７等が挙げられる。
【００３１】
本発明のインクに使用する顔料分散体の平均粒子径は、５０ｎｍ以上、２００ｎｍ未満であることが好ましい。顔料分散体の平均粒子径が５０ｎｍ未満あるいは２００ｎｍ以上では顔料分散体の安定性が悪くなりやすく、インクの保存安定性が劣化しやすくなる。
【００３２】
顔料分散体の粒子径測定は、動的光散乱法、電気泳動法等を用いた市販の粒径測定機器により求めることが出来るが、動的光散乱法による測定が簡便でこの粒子径領域の精度が良く多用される。
【００３３】
本発明で用いられる顔料は、分散剤及びその他所望する諸目的に応じて必要な添加物と共に分散機により分散して用いることが好ましい。分散機としては従来公知のボールミル、サンドミル、ラインミル、高圧ホモジナイザー等が使用できる。中でもサンドミルによる分散が１００ｎｍ前後の平均粒子径を狙った分散を行った時の粒度分布がシャープであり好ましい。また、サンドミル分散に使用するビーズの材質はビーズ破片やイオン成分のコンタミネーションの点から、ジルコニアまたはジルコンが好ましい。さらに、このビーズ径としては０．１ｍｍ以上０．５ｍｍが好ましい。
【００３４】
《顔料分散剤》
本発明に係る顔料を分散する高分子分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいは、スチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体及びこれらの塩を挙げることができる。
【００３５】
本発明において、顔料分散剤の添加量としては、顔料に対し１０〜１００質量％であることが好ましい。
【００３６】
《界面活性剤》
本発明に係る顔料の分散において、添加剤として界面活性剤を用いることができる。本発明に用いられる界面活性剤としてはカチオン性、アニオン性、両性、ノニオン性のいずれも用いることができるが、分散安定性の点からノニオン性界面活性剤を使用することが特に好ましい。
【００３７】
ノニオン性活性剤としては、例えば、ポリオキシエチレン２級アルコールエーテル、ポリオキシエチレンアルキルフェニルエーテル、ポリオキシエチレンステロールエーテル、ポリオキシエチレンラノリン誘導体ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。
【００３８】
また、インク吐出後のインク液滴の普通紙中への浸透を加速するために界面活性剤を使用することが好ましく、そのような界面活性剤としては、インクに対して保存安定性等の悪影響を及ぼさないものであれば限られるものではなく、上記の分散時の添加剤として使用する界面活性剤と同様のものが用いることができる。
【００３９】
《多価金属イオン》
また、本発明のインク中には、多価金属イオンであるカルシウムイオン、マグネシウムイオン及び鉄イオンの総含有量が、１０ｐｐｍ以下であることが好ましく、より好ましくは０．１〜５ｐｐｍ、特に好ましくは０．１〜１ｐｐｍである。
【００４０】
インクジェット用インク中の多価金属イオンの含有量を、上記で規定した量とすることにより、高い分散安定性を有するインクを得ることができる。本発明に係る多価金属イオンは、硫酸塩、塩化物、硝酸塩、酢酸塩、有機アンモニウム塩、ＥＤＴＡ塩等に含有されている。
【００４１】
《その他の添加剤》
本発明のインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、多糖類、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤等を挙げることができる。
【００４２】
また、本発明のインク中の溶存酸素濃度は、２５℃で２ｐｐｍ以下であることが好ましく、この溶存酸素濃度条件とすることにより、気泡の形成を抑制することができ、高速印字においても出射安定性に優れたインクジェット記録方法を実現することができる。インク中に溶存している溶存酸素を測定する方法としては、例えば、溶存酸素測定装置ＤＯ−１４Ｐ（東亜電波（株）製）を用いて測定することができる。
【００４３】
《記録方法》
本発明のインクを用いた画像記録方法においては、例えば、インクジェット用インクを装填したプリンタ等により、デジタル信号に基づきインクジェットヘッドよりインクを液滴として吐出させ普通紙に付着させることでインクジェットプリントが得られる。
【００４４】
本発明のインクを吐出して画像形成を行う際に、使用するインクジェットヘッドはオンデマンド方式でもコンティニュアス方式でも構わない。又吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等など何れの吐出方式を用いても構わない。
【００４５】
その中でも、本発明に係るインクジェット記録方法においては、本発明のインクを３０μｍ以下のノズル径を有するピエゾ型インクジェット記録ヘッドから吐出させて、普通紙に記録を行うこと、更に、３０μｍ以下のノズル径を有するラインヘッド方式のピエゾ型インクジェット記録ヘッドから吐出させて、普通紙に記録を行うことが好ましい。
【００４６】
《記録媒体》
本発明のインクを用いたインクジェット記録方法で用いる普通紙としては、特に制限はないが、非塗工紙、特殊印刷用紙、及び情報用紙の一部に属する８０〜２００μｍの非コート紙が望ましい。本発明に係る普通紙の構成は、ＬＢＫＰ及びＮＢＫＰに代表される化学パルプ、サイズ剤及び填料を主体とし、その他の抄紙助剤を必要に応じて用い、常法により抄紙される。本発明に係る普通紙に使用されるパルプ材としては、機械パルプや古紙再生パルプを併用してもよいし、又、これらを主材としても何ら問題はない。
【００４７】
本発明に係る普通紙に内添されるサイズ剤としては、例えば、ロジンサイズ、ＡＫＤ、アルニケル無水コハク酸、石油樹脂系サイズ、エピクロルヒドリン、カチオン澱粉及びアクリルアミド等が挙げられる。
【００４８】
また、本発明に係る普通紙に内添される填料としては、例えば微粉珪酸、珪酸アルミニウム、ケイソウ土、カオリン、カオリナイト、ハロイサイト、ナクライト、ディッカイト、パイロフィライト、セリサイト、二酸化チタン、ベントナイト等が挙げられる。
【００４９】
また、本発明に係る普通紙には、本発明のインクの裏抜けや顔料の定着性を高める観点から、水溶性多価金属塩を含有していてもよい。水溶性多価金属塩としては、特に制限はないが、例えば、アルミニウム、カルシウム、マグネシウム、亜鉛、鉄、ストロンチウム、バリウム、ニッケル、銅、スカンジウム、ガリウム、インジウム、チタン、ジルコニウム、スズ、鉛などの金属塩、硫酸塩、硝酸塩、ギ酸塩、コハク酸塩、マロン酸塩、クロロ酢酸塩、ｐ−トルエンスルホン酸塩といった塩として添加される。また、水溶性の多価金属イオンの塩として、ポリ塩化アルミニウムのような水溶性無機ポリマーを使用してもよい。水溶性は少なくとも０．１質量％を示すものが好ましく、より好ましくは１質量％を示すものである。中でも、アルミニウム、カルシウム、アルミニウム、マグネシウム、亜鉛からなる水溶性塩はその金属イオンが無色なため好ましい。特に好ましいのは、塩化アルミニウム、硫酸アルミニウム、硝酸アルミニウム、酢酸アルミニウム、塩化カルシウム、硫酸カルシウム、硝酸カルシウム、酢酸カルシウム、塩化マグネシウム、硫酸マグネシウム、硝酸マグネシウム、酢酸マグネシウム、塩化亜鉛、硫酸亜鉛、硝酸亜鉛、酢酸亜鉛である。また、本発明においては、普通紙の他、上質紙、アート紙、コート紙、キャストコート紙、光沢紙、インクジェット専用紙等が広く用いることができる。
【実施例】
【００５０】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００５１】
《インクジェット用インクの調製》
〔顔料分散液の調製〕
（マゼンタ顔料分散液の調製）
以下の各添加剤を混合し、直径０．５ｍｍのジルコニアビーズ２００ｇと共にポリプロピレン製のポリ瓶に入れて密栓し、ペイントシェーカーを用いて５時間分散し、マゼンタ顔料の含有量が１５％のマゼンダ顔料分散液を調製した。
【００５２】
Ｃ．Ｉ．ピグメントレッド１２２                                        １５部
ジョンクリル５０１（ジョンソンポリマー社製）（固形分３０％水溶液）    ２０部
１，２−ブタンジオール                                                ５０部
３−メトキシ−３−メチル−ブタノール                                    ６部
水                                                                    １９部
〔インク５の調製〕
上記調製したマゼンタ顔料分散液に１，２−ブタンジオール、３−メトキシ−３−メチル−ブタノール、水を、インク中の顔料濃度が４質量％、１，２−ブタンジオールが８０質量％、３−メトキシ−３−メチル−ブタノールが１０質量％になるように残部を水で調整して、加えて十分に攪拌を行った。次いで、この混合液を＃３５００メッシュの金属フィルターで濾過し、中空糸膜による脱気を行い、マゼンタ色のインク５を調製した。
【００５３】
〔インク１〜４、６〜２３の調製〕
インク５の調製において、１，２−ブタンジオールを表１の有機溶剤１及び２の組成になるようにした以外はインク５と同様にして、マゼンタ色のインク１〜４、６〜２２を調製した。
【００５４】
使用した有機溶剤の沸点を以下に示す。
１，２−ブタンジオール：１９１℃
１，３−ブタンジオール：２０８℃
１，４−ブタンジオール：２３５℃
２，３−ブタンジオール：１８２℃
１，２−ペンタンジオール：２０６℃
１，５−ペンタンジオール：２３９℃
１，２−ヘキサンジオール：２２３℃
トリプロピレングリコールモノブチルエーテル：２７３℃
エチレングリコールモノイソプロピルエーテル：１４０℃
なお、沸点が３００℃以上の有機溶媒は固体または、著しく粘度が高いので、インクジェット用インクには使用できない。
【００５５】
《画像評価》
ノズル口径２５μｍ、駆動周波数１２ｋＨｚ、ノズル数１２８、ノズル密度１８０ｄｐｉ（以下、ｄｐｉは２．５４ｃｍあたりのドット数を表す）であるピエゾ型ヘッドを用い、最大記録密度７２０×７２０ｄｐｉのオンデマンド型のインクジェットプリンタ（コニカミノルタ製）を使用し画像を作製した。
【００５６】
〔トナー溶解性〕
ベタプリントを１０枚印字して重ねて置き、その上に電子写真方式であるカラーレーザープリンターｍａｇｉｃｏｌｏｒ７３００（コニカミノルタ製）を使用して黒ベタプリントを５００枚印字して重ねて、２５℃および６０℃の環境で１週間置いた。１週間後に電子写真プリントの下から何枚目までが張り付いているか観察した結果、２５℃ではいずれも貼り付きは見られなかったが、６０℃では違いが見られたので、６０℃での評価を行った。
【００５７】
Ａ：貼り付き全くなし
Ｂ：１枚貼り付いた
Ｃ：２〜３枚貼り付いた
Ｄ：４〜１０枚貼り付いた
Ｅ：１１枚以上貼り付いた。
【００５８】
〔カール〕
ベタプリントを印字して、２５℃５０％環境に水平にして３日間放置し、目視で観察し、評価を行った。
【００５９】
Ａ：カール全くなし
Ｂ：わずかにカールが発生している
Ｃ：弱いカールが発生しておる
Ｄ：やや伸縮が認められ、強いカールが発生している
Ｅ：はっきりと収縮が認められ、かなり強いカールが発生している。
【００６０】
〔裏抜け〕
ベタプリントの裏側からを目視で観察し、評価を行った。
【００６１】
Ａ：裏面にインクの滲み、裏抜けが全く認められない
Ｂ：裏面にインクの滲み、裏抜けがわずかに認められる
Ｃ：裏面にインクの滲み、裏抜けがやや認められる
Ｄ：裏面にインクの滲み、裏抜けが強く認められる
Ｅ：裏面にインクの滲み、裏抜けがかなり強く認められる。
【００６２】
〔耐デキャップ性〕
インクを、ノズル数２５６のシェアモードピエゾ型記録ヘッド（コニカミノルタ製）を用いて、ヘッド内を３５℃にして、ノズル初期状態として、出射間隔５０ミリ秒時のインク液滴速度が８ｍ／ｓｅｃとなるように、記録ヘッドに印加する電圧を調整した。次いで、出射間隔時間を変化し、下式にあてはめて、液滴速度の相対比率を測定し、下記の基準に従って耐デキャップ性の評価を行った。
【００６３】
例えば、出射間隔５０ミリ秒でインク液滴を１００滴出射させ、最初の出射から間隔時間ｔ秒後に、再び出射間隔５０ミリ秒で１００滴出射させ、間隔時間ｔ秒後の最初のインク液滴の速度を測定して、これを間隔時間ｔ後の液滴速度とする。
【００６４】
液滴速度の相対比率（％）＝（出射間隔ｔ秒後の液滴速度）／（出射間隔５０ミリ秒の液滴速度）×１００
Ａ：液滴速度の相対比率が７０％以下となる間隔時間ｔが１０秒以上である
Ｂ：液滴速度の相対比率が７０％以下となる間隔時間ｔが１秒以上１０秒未満である
Ｃ：液滴速度の相対比率が７０％以下となる間隔時間ｔが０．３秒以上１秒未満である
Ｄ：液滴速度の相対比率が７０％以下となる間隔時間ｔが０．３秒未満である。
【００６５】
【表１】
2008247941.tif 000002
【００６６】
表から、本発明のインクジェット用インクは、カールと裏抜けを防止し、なおかつそのプリント物と電子写真プリント物を重ねて保存しても電子写真プリントの貼りつきを生じないことが判る。